(57)【特許請求の範囲】
【請求項１】
複数のエレベーターにおいて定期的に自動で行われるエレベーターの状態を確認する診断運転の診断項目において、失敗してから成功するまでの間または成功してから失敗するまでの間に診断運転の設定に関する設定情報のうちで変更された設定情報を当該診断項目の情報と対応付けて蓄積する設定情報蓄積部と、
エレベーターの診断運転が失敗した場合に、前記複数のエレベーターにおいて実施された診断運転に基づき前記設定情報蓄積部に蓄積された情報の中から当該エレベーターが失敗した診断項目と同じ診断項目に対応付けられた他のエレベーターの設定情報を抽出し、当該エレベーターに向けて当該設定情報を提示する設定情報提示部と、
を備えたエレベーターの診断運転調整装置。
【請求項２】
前記設定情報蓄積部は、エレベーターが前記設定情報提示部により提示された設定情報に基づいて設定を変更して診断運転を行った際の当該診断項目における診断の成否を示す情報を蓄積する請求項１に記載のエレベーターの診断運転調整装置。
【請求項３】
前記設定情報提示部は、エレベーターの診断運転が失敗した場合に、前記設定情報蓄積部に蓄積された情報の中から失敗した診断項目と同じ診断項目に対応付けられた複数の設定情報の中からより成功する率の高い設定情報を抽出し、当該エレベーターに向けて当該設定情報を提示する請求項２に記載のエレベーターの診断運転調整装置。
【請求項４】
前記設定情報提示部は、エレベーターの診断運転が失敗し、当該エレベーターが前記設定情報提示部により提示された設定情報に基づいて設定を変更した上で当該診断項目における診断が失敗した場合は、当該エレベーターの次の診断運転の際に、当該エレベーターに向けてより成功率の高い設定情報を提示する請求項３に記載のエレベーターの診断運転調整装置。
【請求項５】
前記設定情報提示部は、エレベーターの診断運転が失敗した場合に、当該エレベーターが前記設定情報提示部により提示された設定情報に基づいて設定を変更した上で当該診断項目による診断が成功するまで、当該エレベーターに向けて成功率の高い順に複数の設定情報を提示する請求項３に記載のエレベーターの診断運転調整装置。
【請求項６】
前記設定情報提示部は、エレベーターの診断運転の設定に関する情報として、エレベーターの診断運転に関するパラメータの情報またはエレベーターの運転に関するソフトウェアの情報を提示する請求項１から請求項５のいずれか一項に記載のエレベーターの診断運転調整装置。
【請求項７】
エレベーターに対して定期的に自動で診断運転を指示する診断運転指示部と、
請求項１から請求項６のいずれか一項に記載の診断運転調整装置に向けて、前記診断運転指示部による指示に基づく当該エレベーターの診断運転の診断項目において、失敗してから成功するまでの間または成功してから失敗するまでの間に診断運転の設定に関する情報のうちで変更された設定情報と当該診断項目を示す情報とを対応付けて通報する設定情報通報部と、
前記診断運転指示部による指示に基づく当該エレベーターの診断運転が失敗した際に、前記診断運転調整装置に向けて、失敗した診断項目を示す情報を通報する診断失敗情報通報部と、
前記診断失敗情報通報部が失敗した診断項目を示す情報を通報し、前記診断運転調整装置が当該診断項目に対応付けられた設定情報を提示した際に、当該設定情報に基づいて当該エレベーターの診断運転の設定情報を変更する設定情報変更部と、
を備えたエレベーターの監視装置。
【請求項８】
エレベーターに設けられた請求項７に記載の監視装置と、
前記監視装置からの情報に基づいて、エレベーターの診断運転の設定に関する設定情報を調整する請求項１から請求項６のいずれか一項に記載の診断運転調整装置と、
を備えたエレベーターシステム。
【発明の詳細な説明】
【技術分野】
【０００１】
本開示は、エレベーターの診断運転の設定を調整する診断運転調整装置、監視装置およびエレベーターシステムに関する。
【背景技術】
【０００２】
特許文献１は、エレベーターの診断運転システムを開示する。当該診断運転システムによれば、エレベーターの診断運転の機能を容易に変更し得る。
【先行技術文献】
【特許文献】
【０００３】
【特許文献１】日本特開２０１３−１１２４８２号公報
【発明の概要】
【発明が解決しようとする課題】
【０００４】
特許文献１に記載の診断運転システムにおいて、エレベーターの診断運転が定期的に行われた際、失敗した診断項目を示す情報が通報される。保守員は、当該通報に基づいて当該エレベーターが設けられた建築物に向かう。その後、保守員は、当該診断項目に対応した診断が失敗した原因を調査する。その後、保守員は、当該診断項目に対応した診断が成功するようにエレベーターの診断運転の設定情報を調整する。このため、保守員の作業負荷が増大する。【０００５】
本開示は、上述の課題を解決するためになされた。本開示の目的は、エレベーターの診断運転の設定情報を自動で適切に調整することができるエレベーターの診断運転調整装置、監視装置およびエレベーターシステムを提供することである。
【課題を解決するための手段】
【０００６】
本開示に係るエレベーターの診断運転調整装置は、複数のエレベーターにおいて定期的に自動で行われるエレベーターの状態を確認する診断運転の診断項目において、失敗してから成功するまでの間または成功してから失敗するまでの間に診断運転の設定に関する設定情報のうちで変更された設定情報を当該診断項目の情報と対応付けて蓄積する設定情報蓄積部と、エレベーターの診断運転が失敗した場合に、前記複数のエレベーターにおいて実施された診断運転に基づき前記設定情報蓄積部に蓄積された情報の中から当該エレベーターが失敗した診断項目と同じ診断項目に対応付けられた他のエレベーターの設定情報を抽出し、当該エレベーターに向けて当該設定情報を提示する設定情報提示部と、を備えた。
【０００７】
本開示に係るエレベーターの監視装置は、エレベーターに対して定期的に自動で診断運転を指示する診断運転指示部と、前記診断運転調整装置に向けて、前記診断運転指示部による指示に基づく当該エレベーターの診断運転の診断項目において、失敗してから成功するまでの間または成功してから失敗するまでの間に診断運転の設定に関する情報のうちで変更された設定情報と当該診断項目を示す情報とを対応付けて通報する設定情報通報部と、前記診断運転指示部による指示に基づく当該エレベーターの診断運転が失敗した際に、前記診断運転調整装置に向けて、失敗した診断項目を示す情報を通報する診断失敗情報通報部と、前記診断失敗情報通報部が失敗した診断項目を示す情報を通報し、前記診断運転調整装置が当該診断項目に対応付けられた設定情報を提示した際に、当該設定情報に基づいて当該エレベーターの診断運転の設定情報を変更する設定情報変更部と、を備えた。【０００８】
本開示に係るエレベーターシステムは、エレベーターに設けられた前記監視装置と、前記監視装置からの情報に基づいて、エレベーターの診断運転の設定に関する設定情報を調整する前記診断運転調整装置と、を備えた。
【発明の効果】
【０００９】
本開示によれば、エレベーターの診断運転の設定情報を自動で適切に調整することができる。
【図面の簡単な説明】
【００１０】
【図１】実施の形態１におけるエレベーターの診断運転調整装置が適用されるエレベーターシステムの構成図である。
【図２】実施の形態１におけるエレベーターの診断運転調整装置としての情報センター装置による診断運転の設定の調整方法を説明するための図である。
【図３】実施の形態１におけるエレベーターの診断運転調整装置が適用されるエレベーターシステムの監視装置と情報センター装置とのブロックである。
【図４】実施の形態１におけるエレベーターの診断運転調整装置が適用されるエレベーターシステムの監視装置の動作の概要を説明するためのフローチャートである。
【図５】実施の形態１におけるエレベーターの診断運転調整装置としての情報センター装置の動作の概要を説明するためのフローチャートである。
【図６】実施の形態１におけるエレベーターの診断運転調整装置としての情報センター装置のハードウェア構成図である。
【発明を実施するための形態】
【００１１】
実施の形態について添付の図面に従って説明する。なお、各図中、同一または相当する部分には同一の符号が付される。当該部分の重複説明は適宜に簡略化ないし省略される。
【００１２】
実施の形態１．
図１は実施の形態１におけるエレベーターの診断運転調整装置が適用されるエレベーターシステムの構成図である。
【００１３】
図１のエレベーターシステムは、複数のエレベーターと情報センター装置１０とを備える。
【００１４】
例えば、複数のエレベーターの各々は、同じ建築物に設けられる。例えば、複数のエレベーターの各々は、互いに異なる建築物に設けられる。
【００１５】
複数のエレベーターの各々において、昇降路１は、建築物の各階を貫く。機械室２は、昇降路１の直上に設けられる。複数の乗場３の各々は、建築物の各階に設けられる。複数の乗場３の各々は、昇降路１に対向する。
【００１６】
複数のエレベーターの各々において、巻上機４は、機械室２に設けられる。主ロープ５は、巻上機４に巻き掛けられる。
【００１７】
複数のエレベーターの各々において、かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１８】
複数のエレベーターの各々において、制御装置８は、機械室２に設けられる。制御装置８は、エレベーターを全体的に制御し得るように設けられる。
【００１９】
複数のエレベーターの各々において、監視装置９は、機械室２に設けられる。監視装置９は、制御装置８からの情報に基づいてエレベーターの状態を監視し得るように設けられる。
【００２０】
例えば、情報センター装置１０は、エレベーターが設けられた建築物から離れた場所に設けられる。例えば、情報センター装置１０は、エレベーターの保守会社に設けられる。情報センター装置１０は、監視装置９からの情報に基づいてエレベーターの状態を把握し得るように設けられる。
【００２１】
次に、図２を用いて、情報センター装置１０による診断運転の設定の調整方法を説明する。
図２は実施の形態１におけるエレベーターの診断運転調整装置としての情報センター装置による診断運転の設定の調整方法を説明するための図である。
【００２２】
図２に示されるように、複数のエレベーターの各々において、監視装置９は、定期的に自動で診断運転を実施する。例えば、監視装置９は、月に１回の割合で診断運転を実施する。診断運転は、エレベーターの状態を確認するための運転である。このため、診断運転が行えなくても、エレベーターの通常運転は再開される。さらに、診断運転において、特定の項目が失敗しても、エレベーターの通常運転は再開される。
【００２３】
例えば、図２の左側のエレベーターにおいて、監視装置９は、診断運転が失敗したことを把握する。この際、監視装置９は、情報センター装置１０に向けて、「失敗通報」と「診断コード通報」とを行う。「失敗通報」は、診断運転が失敗したことを示す通報である。「診断コード通報」は、診断運転において失敗した診断項目を示す通報である。
【００２４】
図２の左側のエレベーターにおいて、次の診断運転の実施時に、監視装置９は、診断運転が成功したことを把握する。この際、監視装置９は、情報センター装置１０に向けて、「成功通報」を行う。「成功通報」は、診断運転が成功したことを示す通報である。
【００２５】
図２の左側のエレベーターにおいて、監視装置９は、情報センター装置１０に向けて、当該診断項目において、失敗してから成功するまでの間に診断運転の設定に関する設定情報のうちで保守員等により変更された設定情報を当該診断項目の情報と対応付けて通報する。例えば、監視装置９は、診断運転の設定に関する情報として、エレベーターの診断運転に関するパラメータの情報またはエレベーターの運転に関するソフトウェアの情報を通報する。
【００２６】
情報センター装置１０は、図２の左側のエレベーターの監視装置９からの診断運転の設定に関する情報と当該診断項目の情報と対応付けて蓄積する。
【００２７】
例えば、図２の右側のエレベーターにおいて、監視装置９は、診断運転が失敗したことを把握する。この際、監視装置９は、情報センター装置１０に向けて、「失敗通報」と「診断コード通報」を行う。
【００２８】
情報センター装置１０は、蓄積された情報の中から図２の右側のエレベーターの監視装置９からの「診断コード通報」に対応した診断項目と同じ診断項目に対応付けられた設定情報を抽出する。情報センター装置１０は、図２の右側のエレベーターの監視装置９に向けて当該設定情報を提示する。
【００２９】
図２の右側のエレベーターにおいて、監視装置９は、情報センターからの設定情報に基づいてエレベーターの診断運転の設定情報を変更する。例えば、監視装置９は、エレベーターの診断運転に関するパラメータの情報を変更する。例えば、監視装置９は、制御装置８に記憶されたエレベーターの運転に関するソフトウェアの情報を制御装置８に書き換えさせる。
【００３０】
翌日、図２の右側のエレベーターにおいて、監視装置９は、エレベーターの診断運転に関する設定情報を変更した状態でエレベーターの診断運転を再実施する。監視装置９は、診断運転が成功したか否かを把握する。この際、監視装置９は、情報センター装置１０に向けて、「成否通報」を行う。「成否通報」は、診断運転の成否を示す通報である。
【００３１】
情報センター装置１０は、図２の右側のエレベーターの監視装置９からの「成否通報」に対応した情報と図２の右側のエレベーターの監視装置９からの「診断コード通報」に対応した診断項目の情報とを対応付けて蓄積する。
【００３２】
次に、図３を用いて、監視装置９と情報センター装置１０とを説明する。
図３は実施の形態１におけるエレベーターの診断運転調整装置が適用されるエレベーターシステムの監視装置と情報センター装置とのブロックである。
【００３３】
図３に示されるように、監視装置９は、診断運転指示部９ａと設定情報通報部９ｂと診断失敗情報通報部９ｃと設定情報変更部９ｄとを備える。
【００３４】
診断運転指示部９ａは、制御装置８に対して定期的に自動で診断運転を指示する。
【００３５】
設定情報通報部９ｂは、情報センター装置１０に向けて、診断運転指示部９ａによる指示に基づく当該エレベーターの診断運転の診断項目において、失敗してから成功するまでの間に診断運転の設定に関する情報のうちで変更された設定情報と当該診断項目を示す情報とを対応付けて通報する。
【００３６】
診断失敗情報通報部９ｃは、診断運転指示部９ａによる指示に基づく当該エレベーターの診断運転が失敗した際に、情報センター装置１０に向けて、失敗した診断項目を示す情報を通報する。
【００３７】
設定情報変更部９ｄは、診断失敗情報通報部９ｃが失敗した診断項目を示す情報を通報し、情報センター装置１０が当該診断項目に対応付けられた設定情報を提示した際に、当該設定情報に基づいて当該エレベーターの診断運転の設定情報を変更する。
【００３８】
図３に示されるように、情報センター装置１０は、診断運転調整装置として機能する。例えば、情報センター装置１０は、設定情報蓄積部１０ａと設定情報提示部１０ｂとを備える。
【００３９】
設定情報蓄積部１０ａは、複数のエレベーターにおいて適期的に自動で行われる診断運転の診断項目において、失敗してから成功するまでの間に診断運転の設定に関する設定情報のうちで変更された設定情報を当該診断項目の情報と対応付けて蓄積する。設定情報蓄積部１０ａは、エレベーターが設定情報提示部１０ｂにより提示された設定情報に基づいて設定を変更して診断運転を行った際の当該診断項目における診断の成否を示す情報を蓄積する。
【００４０】
設定情報提示部１０ｂは、エレベーターの診断運転が失敗した場合に、設定情報蓄積部１０ａに蓄積された情報の中から失敗した診断項目と同じ診断項目に対応付けられた設定情報を抽出し、当該エレベーターの監視装置９に向けて当該設定情報を提示する。
【００４１】
例えば、設定情報提示部１０ｂは、エレベーターの診断運転が失敗した場合に、変更情報蓄積部に蓄積された情報の中から失敗した診断項目と同じ診断項目に対応付けられた複数の設定情報の中からより成功する率の高い設定情報を抽出し、当該エレベーターの監視装置９に向けて当該設定情報を提示する。
【００４２】
例えば、設定情報提示部１０ｂは、エレベーターの診断運転が失敗し、当該エレベーターが設定情報提示部１０ｂにより提示された設定情報に基づいて設定を変更した上で当該診断項目における診断が失敗した場合は、当該エレベーターの次の診断運転の際に、当該エレベーターの監視装置９に向けてより成功率の高い設定情報を提示する。
【００４３】
例えば、設定情報提示部１０ｂは、エレベーターの診断運転が失敗した場合に、当該エレベーターが設定情報提示部１０ｂにより提示された設定情報に基づいて設定を変更した上で当該診断項目による診断が成功するまで、当該エレベーターに向けて成功率の高い順に複数の設定情報を提示する。
【００４４】
次に、図４を用いて、監視装置９の動作の概要を説明する。
図４は実施の形態１におけるエレベーターの診断運転調整装置が適用されるエレベーターシステムの監視装置の動作の概要を説明するためのフローチャートである。
【００４５】
ステップＳ１では、監視装置９は、現時刻がエレベーターの診断運転を開始する時刻であるか否かを判定する。ステップＳ１で現時刻がエレベーターの診断運転を開始する時刻でない場合、監視装置９は、ステップＳ１の動作を行う。ステップＳ１で現時刻がエレベーターの診断運転を開始する時刻である場合、監視装置９は、ステップＳ２の動作を行う。
【００４６】
ステップＳ２では、監視装置９は、エレベーターの診断運転を実施する。その後、監視装置９は、ステップＳ３の動作を行う。ステップＳ３では、監視装置９は、エレベーターの診断運転が成功したか否かを判定する。
【００４７】
ステップＳ３でエレベーターの運転が成功した場合、監視装置９は、ステップＳ４の動作を行う。ステップＳ４では、監視装置９は、情報センター装置１０に向けて、エレベーターの診断運転が成功したことを示す情報を通報する。その後、監視装置９は、ステップＳ１の動作を行う。
【００４８】
ステップＳ３でエレベーターの運転が成功しなかった場合、監視装置９は、ステップＳ５の動作を行う。ステップＳ５では、監視装置９は、情報センター装置１０に向けて、エレベーターの診断運転が失敗したことを示す情報と失敗した診断項目の情報とを対応付けて通報する。
【００４９】
その後、監視装置９は、ステップＳ６の動作を行う。ステップＳ６では、監視装置９は、情報センター装置１０からの設定情報の提示を受け付ける。その後、監視装置９は、ステップＳ７の動作を行う。ステップＳ７では、監視装置９は、当該設定情報に基づいて当該エレベーターの診断運転の設定情報を変更する。
【００５０】
その後、監視装置９は、ステップＳ８の動作を行う。ステップＳ８では、監視装置９は、予め設定されたタイミングで、エレベーターの診断運転に関する設定情報を変更した状態でエレベーターの診断運転を再実施する。その後、監視装置９は、ステップＳ１の動作を行う。
【００５１】
次に、図５を用いて、情報センター装置１０の動作の概要を説明する。
図５は実施の形態１におけるエレベーターの診断運転調整装置としての情報センター装置の動作の概要を説明するためのフローチャートである。
【００５２】
ステップＳ１１では、情報センター装置１０は、診断運転の設定に関する設定情報のうちで変更された設定情報の通報が受け付けられたか否かを判定する。
【００５３】
ステップＳ１１で診断運転の設定に関する設定情報のうちで変更された設定情報の通報が受け付けられた場合、情報センター装置１０は、ステップＳ１２の動作を行う。ステップＳ１２では、情報センター装置１０は、診断運転の設定に関する設定情報のうちで変更された設定情報を当該診断項目の情報と対応付けて蓄積する。その後、情報センター装置１０は、ステップＳ１１の動作を行う。
【００５４】
ステップＳ１１で診断運転の設定に関する設定情報のうちで変更された設定情報の通報が受け付けられていない場合、情報センター装置１０は、ステップＳ１３の動作を行う。ステップＳ１３では、情報センター装置１０は、エレベーターの診断運転が失敗したことを示す情報と失敗した診断項目の情報とを対応付けた通報が受け付けられたか否かを判定する。
【００５５】
ステップＳ１３でエレベーターの診断運転が失敗したことを示す情報と失敗した診断項目の情報とを対応付けた通報が受け付けられていない場合、情報センター装置１０は、ステップＳ１１の動作を行う。ステップＳ１３でエレベーターの診断運転が失敗したことを示す情報と失敗した診断項目の情報とを対応付けた通報が受け付けられた場合、情報センター装置１０は、ステップＳ１４の動作を行う。
【００５６】
ステップＳ１４では、情報センター装置１０は、蓄積された情報の中から当該診断項目と同じ診断項目に対応付けられた設定情報を抽出する。その後、情報センター装置１０は、ステップＳ１５の動作を行う。ステップＳ１５では、情報センター装置１０は、当該エレベーターの監視装置９に向けて当該設定情報を提示する。その後、情報センター装置１０は、ステップＳ１１の動作を行う。
【００５７】
以上で説明した実施の形態１によれば、エレベーターの診断運転が失敗した場合に、情報センター装置１０は、蓄積された情報の中から失敗した診断項目と同じ診断項目に対応付けられた設定情報を抽出する。情報センター装置１０は、当該エレベーターの監視装置９に向けて当該設定情報を提示する。このため、エレベーターの診断運転の設定情報を自動で適切に調整することができる。その結果、エレベーターの運行に関する品質を維持することができる。
【００５８】
また、情報センター装置１０は、自らが抽出した設定情報に基づいてエレベーターの監視装置９が設定を変更して診断運転を行った際の当該診断項目における診断の成否を示す情報を蓄積する。このため、抽出される設定情報の妥当性を高めることができる。
【００５９】
また、エレベーターの診断運転が失敗した場合に、情報センター装置１０は、蓄積された情報の中から失敗した診断項目と同じ診断項目に対応付けられた複数の設定情報の中からより成功する率の高い設定情報を抽出する。情報センター装置１０は、当該エレベーターの監視装置９に向けて当該設定情報を提示する。このため、エレベーターの診断運転の設定情報を自動でより適切に調整することができる。
【００６０】
また、情報センター装置１０は、エレベーターの診断運転が失敗し、自らが抽出した設定情報に基づいて当該エレベーターの監視装置９が設定を変更した上で当該診断項目における診断が失敗した場合は、当該エレベーターの次の診断運転の際に、当該エレベーターの監視装置９に向けてより成功率の高い設定情報を提示する。このため、時間の経過とともに、エレベーターの診断運転の成功率を高めることができる。
【００６１】
また、情報センター装置１０は、エレベーターの診断運転が失敗し、自らが抽出した設定情報に基づいて当該エレベーターの監視装置９が設定を変更した上で当該診断項目における診断が成功するまで、当該エレベーターの監視装置９に向けて成功率の高い順に複数の設定情報を提示する。このため、エレベーターの診断運転の成功を早期に実現することができる。
【００６２】
また、情報センター装置１０は、エレベーターの診断運転の設定に関する情報として、エレベーターの診断運転に関するパラメータの情報またはエレベーターの運転に関するソフトウェアの情報を提示する。このため、エレベーターの診断運転の設定情報を自動でより適切に調整することができる。
【００６３】
なお、監視装置９において、成功してから失敗するまでの間に診断運転の設定に関する設定情報のうちで変更された設定情報を当該診断項目の情報と対応付けて通報してもよい。この際、当該設定情報を変更前の状態に戻せばよい。この場合も、エレベーターの診断運転の設定情報を自動で適切に調整することができる。
【００６４】
また、機械室２がなくて昇降路１の上部または下部に巻上機４、制御装置８、監視装置９が設けられるエレベーターにおいて、実施の形態１の情報センター装置１０を適用してよい。
【００６５】
また、設定情報蓄積部１０ａと設定情報提示部１０ｂとの機能を情報センター装置１０とは異なる装置に設けてもよい。例えば、設定情報蓄積部１０ａと設定情報提示部１０ｂとの機能を診断運転調整装置として専用のサーバー装置に設けてもよい。
【００６６】
次に、図６を用いて、情報センター装置１０の例を説明する。
図６は実施の形態１におけるエレベーターの診断運転調整装置としての情報センター装置のハードウェア構成図である。
【００６７】
情報センター装置１０の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００６８】
処理回路が少なくとも１つのプロセッサ１００ａと少なくとも１つのメモリ１００ｂとを備える場合、情報センター装置１０の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、情報センター装置１０の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６９】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、情報センター装置１０の各機能は、それぞれ処理回路で実現される。例えば、情報センター装置１０の各機能は、まとめて処理回路で実現される。
【００７０】
情報センター装置１０の各機能について、一部を専用のハードウェア２００で実現し、他部をソフトウェアまたはファームウェアで実現してもよい。例えば、設定情報提示部１０ｂの機能については専用のハードウェア２００としての処理回路で実現し、設定情報提示部１０ｂの機能以外の機能については少なくとも１つのプロセッサ１００ａが少なくとも１つのメモリ１００ｂに格納されたプログラムを読み出して実行することにより実現してもよい。
【００７１】
このように、処理回路は、ハードウェア２００、ソフトウェア、ファームウェア、またはこれらの組み合わせで情報センター装置１０の各機能を実現する。
【００７２】
図示されないが、制御装置８の各機能も、情報センター装置１０の各機能を実現する処理回路と同等の処理回路で実現される。監視装置９の各機能も、情報センター装置１０の各機能を実現する処理回路と同等の処理回路で実現される。
【産業上の利用可能性】
【００７３】
以上のように、本開示に係るエレベーターの診断運転の設定を調整する診断運転調整装置、監視装置およびエレベーターシステムは、エレベーターの診断運転の設定を調整するシステムに利用できる。
【符号の説明】
【００７４】
１  昇降路、  ２  機械室、  ３  乗場、  ４  巻上機、  ５  主ロープ、  ６  かご、  ７  釣合おもり、  ８  制御装置、  ９  監視装置、  ９ａ  診断運転指示部、  ９ｂ  設定情報通報部、  ９ｃ  診断失敗情報通報部、  ９ｄ  設定情報変更部、  １０  情報センター装置、  １０ａ  設定情報蓄積部、  １０ｂ  設定情報提示部、  １００ａ  プロセッサ、  １００ｂ  メモリ、  ２００  ハードウェア
【要約】
エレベーターの診断運転の設定情報を自動で適切に調整することができるエレベーターの診断運転調整装置を提供する。エレベーターの診断運転調整装置は、複数のエレベーターにおいて定期的に自動で行われる診断運転の診断項目において、失敗してから成功するまでの間または成功してから失敗するまでの間に診断運転の設定に関する設定情報のうちで変更された設定情報を当該診断項目の情報と対応付けて蓄積する設定情報蓄積部と、エレベーターの診断運転が失敗した場合に、前記設定情報蓄積部に蓄積された情報の中から失敗した診断項目と同じ診断項目に対応付けられた設定情報を抽出し、当該エレベーターに向けて当該設定情報を提示する設定情報提示部と、を備えた。【図１】
0006784347.tif 000002
【図２】
0006784347.tif 000003
【図３】
0006784347.tif 000004
【図４】
0006784347.tif 000005
【図５】
0006784347.tif 000006
【図６】
0006784347.tif 000007